(57)【要約】本発明は、色が異なる二つのボールペン芯を一つの筆記具に構成した２色ボールペンに関する。本発明は、一つのボールペンを２色で構成して、色の選択を簡単にして望む色のボールペンで早くしようできるようにする。本発明は、ケース１の片側に結合される２色ボールペン芯３、３’と、前記ケース１の他の片側に結合される蛍光ペン５と、前記２色ボールペン芯３、３’が結合されたケース１の片側の組立て孔１１に結合される透明キャップ４と、で構成したことに要旨がある。本発明は、速記用筆記具などで使用できる。【選択図】図１
2015536843.tif 000002
【特許請求の範囲】
【請求項１】
ケース１の一側に結合される２色ボールペン芯３、３’と、
前記ケース１の他の一側に結合される蛍光ペン５と、
前記２色ボールペン芯３、３’が結合されたケース１の一側組立て孔１１と結合して２色ボールペン芯３、３’が外部から透視されるようにする透明キャップ４と、を含むことを特徴とする、２色ボールペン。
【請求項２】
ケース１の一側と結合される２色ボールペン芯３、３’と、
前記ケース１の他の一側と結合される別の２色ボールペン芯３０、３０’と、
前記２色ボールペン芯３、３’（３０、３０’）が結合されたケース１の両側組立て孔１１、１２と結合して両側２色ボールペン芯３、３’（３０、３０’）を外部から透視可能にする透明キャップ４（４’）と、を含むこと徴とする、２色ボールペン。
【請求項３】
ケース１の一側に結合される２色ボールペン芯３、３’と、
前記２色ボールペン芯３、３’が結合されたケース１の一側の組立て孔１１と結合して２色ボールペン芯３、３’を外部から透視することができるようにする透明キャップ４と、を含むことを特徴とする、２色ボールペン。
【請求項４】
前記ケース１には一側組立て管２１に２色ボールペン芯３、３’が結合し、他の一側組立て管２１’には蛍光ペン５のインクカートリッジ５１が結合する中ケース２を内蔵して構成したことを特徴とする、請求項１に記載の２色ボールペン。
【請求項５】
前記ケース１に結合される透明キャップ４、４’は、外部から色を確認できるように２色ボールペン芯３、３’の各色別に彩色部８１、８１’を形成した有色キャップ８で構成したことを特徴とする、請求項１〜３のうちいずれか一つに記載の２色ボールペン。
【発明の詳細な説明】
【技術分野】
【０００１】
本発明は、２色ボールペンに関し、より詳細には色が異なる２つのボールペン芯を一つのボールペンで構成して一つのボールペンを２色で使用できるようにし、ボールペンの色区別と選択を容易かつ素早くして筆記途中にも望む色で迅速かつ容易に使用できるようにした２色ボールペンに関する。
【背景技術】
【０００２】
一般に、一つの筆記具には１色のボールペン芯が内蔵され、様々な色で使うためには色別に複数の筆記具を準備しなければならない不便がある。
【０００３】
このような不便を解消するためには一つのボールペンに多色のボールペン芯を内蔵する必要があるが、一つのボールペンに２色（または、２色以上）のボールペン芯を構成して２色（または、２色以上）でボールペンを使用できるようにする２色ボールペンは多様な構造で開発されてきた。
【０００４】
大韓民国公開実用新案公報第１９９６−２０７７３号、大韓民国実用新案公告公報第２０−１９８２−００２６５７号、日本公開特許公報第２００４−２７６５０１号には、２つのボールペン芯を一体に結合して一つの筆記具として２色で筆記ができる２色筆記具が開示され、大韓民国実用新案公報第２０−１９８２−０００６４９号には一つの本体に３つのボールペン芯を内蔵して一つの筆記具で３色筆記ができる筆記具が開示されている。
【０００５】
しかし、前記の従来筆記具は２色のボールペン芯が内蔵された各ボールペンを一つの筆記具に結合するようになり筆記具のサイズが大きくなって、携帯はもちろん手で握って筆記するのに不便な問題などを引き起こした。
【０００６】
また、一つの本体に２つ以上のボールペン芯を内蔵して望む色のボールペン芯を出没させて使用できるように構成した多色ボールペンは以下のように開発されている。
【０００７】
大韓民国実用新案公告公報第２０−１９８５−０００３０４号、大韓民国公開実用新案公報第２０−２０１０−００１３００２号、大韓民国公開実用新案公報第２０−２０１２−０００８０８３号、大韓民国公開実用新案公報第２０−２００９−００１１９８５号、大韓民国公開特許公報第１０−２０１０−０１１８７９４号、日本公開特許公報第２０００−２３３５９６号には、複数のボールペン芯を一つの本体に内蔵してスプリングなどで弾発させて望む色のボールペン芯を出没させて使用できるようにした筆記具が開示されている。
【０００８】
しかし、複数のボールペン芯を内蔵して望む色のボールペン芯を出没させる構造の筆記具は、複雑な構造で製作費が高価なだけでなく、複数のボールペン芯を内蔵して出没させるための構造によって体積が大きく、故障が多く、大きい体積によって携帯はもちろん手で握って筆記するのに不便がある等の問題点がある。
【０００９】
特に前記２色以上のボールペン芯を内蔵する筆記具は、各ボールペン芯を出没させる操作ボタンが筆記具の上部に備えられて外部操作ボタンで色を区別できるように構成されている。従って、色の区別は容易であるが、筆記途中に望む色を選択するためには主に親指で操作ボタンを押して望む色のボールペンに選択し、切り替えることになって、筆記姿勢の連続性を維持できなくて色を選択する都度指で操作ボタンを押して色を変えることになって早い筆記と手軽な使用性を提供できない短所がある。
【００１０】
前記筆記具の他に大韓民国公開実用新案公報第２０−１９９８−０００７０８６号には、ケースの両側にボールペン芯と蛍光ペンフィルタを固定させるホルダーを内蔵してボールペンと蛍光ペンを兼ねて使用できるようにしたボールペンと蛍光ペンを有するツインペンが掲載されている。
【００１１】
前記蛍光ペンを有するツインペンは、ケース両側にボールペン芯と蛍光ペンを形成してボールペンと蛍光ペンを共に使用できるメリットがあるが、一つの筆記具に複数色のボールペン芯を内蔵して様々な色で使用できるメリットを提供できない短所があって、単純に２色のボールペン芯を２つ内蔵してもペンの色を確認できず筆記途中に望む色に直ちに切り替えて使用できない短所がある。
【００１２】
また、大韓民国公開特許公報第１０−２０１１−０３７８２２号には、３つ以上のペン芯をケースに挿入して端部にペン芯が外部に傾斜して突出するようにして、多数のペンを使用できるようにした多芯ペンが掲載されている。
【００１３】
前記多芯ペンは、一つのケースに多数のペン芯を構成して複数のペンを使用できるようにしたメリットがあるが、蛍光ペンが付設されず蛍光ペンを共に使用できない短所がある。
【００１４】
また、ユーザーの望むペンの色を使用途中にいつでも簡単に確認できるようにする手段がなく、筆記途中に望む色のペンに直ちに切り替えて使用できる便宜性を提供できない短所がある。
【００１５】
前記のように２色以上で使用できるようにした既存のボールペンは、望む色のボールペンを選択、使用するためにボールペンを握った手を離したりボールペンを握っていても筆記をしばらく中断した状態で親指で選択ボタンを押して望む色のボールペンに切り替えなければならない不便等がある。
【００１６】
このような既存２色ボールペンは、色選択と切り替えの不便によって様々な色のボールペンで筆記が求められる場合において望む色のボールペンで機敏に切り替えて迅速に筆記するのに非常に大きい不便がある。
【先行技術文献】
【特許文献】
【００１７】
【特許文献１】大韓民国公開実用新案公報第１９９６−２０７７３号
【特許文献２】大韓民国実用新案公告公報第２０−１９８２−００２６５７号
【特許文献３】日本公開特許公報第２００４−２７６５０１号
【特許文献４】大韓民国実用新案公報第２０−１９８２−０００６４９号
【特許文献５】大韓民国実用新案公告公報第２０−１９８５−０００３０４号
【特許文献６】大韓民国公開実用新案公報第２０−２０１０−００１３００２号
【特許文献７】大韓民国公開実用新案公報第２０−２０１２−０００８０８３号
【特許文献８】大韓民国公開実用新案公報第２０−２００９−００１１９８５号
【特許文献９】大韓民国公開特許公報第１０−２０１０−０１１８７９４号
【特許文献１０】日本公開特許公報第２０００−２３３５９６号
【特許文献１１】大韓民国公開実用新案公報第２０−１９９８−０００７０８６号
【特許文献１２】大韓民国公開特許公報第１０−２０１１−０３７８２２号
【発明の概要】
【発明が解決しようとする課題】
【００１８】
そこで、本発明は、互いに異なる色の２つのボールペン芯を色区別が容易な構造で一つのケースに内蔵して２色ボールペンを構成することによって、ユーザーが筆記途中にいつでも望む色ですぐに使用できるようにしてより一層便利でかつ早く望む色で筆記できるようにする。
【００１９】
本発明は、筆記途中にボールペンを握った指の姿勢を維持しながらボールペンの色をすぐに確認してボールペンを握った指でボールペンを回す簡単な動作だけで望む色のボールペンを選択することができるようにして、簡単かつ機敏に望む色のボールペンを使用できるようにする。
【００２０】
また、本発明は、一つのボールペンを２色はもちろん４色で使用できるようにし、蛍光ペンを付設して蛍光ペンも共に使用できる２色ボールペンを提供する。
【課題を解決するための手段】
【００２１】
本発明は、請求項１に記載された発明によると、ケースの一側に結合される２色ボールペン芯と、前記ケースの他の一側に結合される蛍光ペンと、前記２色ボールペン芯が結合されたケースの一側の組立て孔と結合して２色ボールペン芯が外部から透視できるようにする透明キャップを含むことを特徴とする。
【００２２】
また、本発明は請求項２に記載された発明によると、ケース一側に結合される２色ボールペン芯と、前記ケースの他の一側に結合される別の２色ボールペン芯と、前記２色ボールペン芯が結合したケース両側の組立て孔と結合して両側２色ボールペン芯を外部から透視可能にする透明キャップと、を含むことを特徴とする。
【００２３】
また、本発明は請求項３に記載された発明によると、ケースの一側に結合される２色ボールペン芯と、前記２色ボールペン芯が結合されたケースの一側の組立て孔と結合して２色ボールペン芯が外部から透視できるようにする透明キャップと、を含むことを特徴とする。
【００２４】
また、本発明は請求項４に記載された発明によると、第１項において、前記ケースには一側の組立て管に２色ボールペン芯が結合し、他の一側の組立て管には蛍光ペンのインクカートリッジが結合する中ケースを内蔵して構成したことを特徴とする。
【００２５】
また、本発明は請求項５に記載された発明によると、第１項〜第３項のうちいずれか一つの項において、前記ケースに結合される透明キャップは外部から色を区別することができるように２色ボールペン芯の各色別に彩色部を形成した有色キャップで構成したことを特徴とする。
【発明の効果】
【００２６】
本発明は、一つのボールペンで２色のボールペンを使用でき、２色のボールペンは筆記具の先端を通して簡単に区別でき、筆記途中にもユーザーが容易に直ちに望む色のボールペンを選択して早く筆記できるメリットなどを提供する。
【００２７】
また、本発明は、筆記途中にボールペンを握った状態でボールペンの色区別が可能であって筆記途中ボールペンを握った指でボールペンを回す簡単な動作だけで望む色のボールペンで早く筆記できる非常に便利な使用性を提供する。
【００２８】
また、本発明は、蛍光ペンを付設して２色ボールペンと蛍光ペンを共に使用できるメリットと効果などを提供する。
【図面の簡単な説明】
【００２９】
【図１】本発明の一実施形態を示した斜視図である。
【図２】本発明の断面図である。
【図３】本発明の要部拡大断面図である。
【図４】本発明の他の実施形態を示した斜視図である。
【図５】図４の正面図である。
【図６】図４の断面図である。
【図７】本発明のさらに他の実施形態を示した断面図である。
【図８】本発明のさらに他の実施形態を示した正面図である。
【発明を実施するための形態】
【００３０】
本発明を添付図面と共に詳細に調べる。図１は、本発明の一実施形態を示した斜視図であり、図２は、本発明の断面図、図３は、本発明の要部拡大断面図である。
【００３１】
本発明は、管形状のケース１の内側に互いに色が異なる２つのボールペン芯（以下、２色ボールペン芯という。）３、３’を内蔵して、前記ケース１に結合された２色ボールペン芯３、３’は、透明キャップ４を通して外部から色をすぐ確認できるようにして、ユーザーの望む色のボールペンを速かに選択して使用できるように２色ボールペンを構成したことを特徴とする。
【００３２】
また、本発明は、前記２色ボールペン芯３、３’が結合されたケース１の他の一側に蛍光ペン５を結合して蛍光ペン５を共に使用できるように構成したことを特徴とある。
【００３３】
以下、本発明を具体的に調べる。
【００３４】
ケース１は、内側に中ケース２を内蔵して、中ケース２の一側に２色ボールペン芯３、３’を結合して、中ケース２が内蔵されたケース１は、一側の組立て孔１１に透明キャップ４を挟んで結合する。また、前記中ケース２の他の一側には蛍光ペン５のインクカートリッジ５１を結合する。
【００３５】
前記ケース１に結合する透明キャップ４は、中ケース２に内蔵された２色ボールペン芯３、３’の各ペン先３１、３１’を外部に突出するように結合して、前記透明キャップ４には２色ボールペン芯３、３’の各ペン先３１、３１’が外部に露出して結合するように挿入孔４１、４１’を形成する。
【００３６】
前記において中ケース２は、中央壁２２の両側に組立て管２１、２１’を形成して、一側の組立て管２１には２色ボールペン芯３、３’を、他の一側組立て管２１’には蛍光ペン５のインクカートリッジ５１を各々結合してケース１内に結合する。
【００３７】
前記中ケース２の外径は、ケース１の内径より小さく形成するのは当然である。
【００３８】
前記のように中ケース２が内蔵されたケース１は、一側に透明キャップ４を結合して２色ボールペン芯３、３’を結合し、他の一側の結合孔１２には蛍光ペン５を結合することで、２色ボールペン芯３、３’が結合した中ケース２の他の一側組立て管２１‘に蛍光ペン５のインクカートリッジ５１を結合して、前記ケース１の一側結合孔１２を介して蛍光ペン５を構成する。
【００３９】
前記のように２色ボールペン芯３、３’と蛍光ペン５が結合されるケース１の両側には蓋６、６’を脱着結合する。
【００４０】
前記において中ケース２に内入されて、透明キャップ４を介して外部に突出するように結合する２色ボールペン芯３、３’は、２つ以上（３つ〜４つ）で実施できることは当然である。
【００４１】
尚、図４乃至図６は、本発明の他の実施形態を図示したものである。
【００４２】
前記実施形態は、前記中ケース２が内蔵されたケース１の一側に透明キャップ４を結合して２色ボールペン芯３、３’を結合し、他の一側結合孔１２にも一側透明キャップ４と同じ透明キャップ４’を結合して、ここに別の２色ボールペン芯３０、３０’を結合した実施形態である。
【００４３】
前記実施形態は、２色ボールペン芯３、３’が結合された中ケース２の他の一側組立て管２１’にも色が互いに異なる２色ボールペン芯３０、３０’を結合して、ケース１の結合孔１２に透明キャップ４’を結合してケース１両側に各々２色ボールペン芯３、３’（３０、３０’）を構成した例である。
【００４４】
前記のようにケース１の両側に各々互いに色が異なる２色ボールペン芯３、３'（３０、３０’）を構成する場合には一側の２色ボールペン芯３、３’と他の一側の２色ボールペン芯３０、３０'全てを各々異なる色で構成することができる。
【００４５】
また、図７は本発明のさらに他の実施形態である。
【００４６】
前記実施形態は、ケース１の一側にだけ２色ボールペン芯３、３’を構成して蛍光ペン５は省略した例である。
【００４７】
前記のようにケース１の一側にだけ２色ボールペン芯３、３’を構成する場合には、中ケース２がなく反対側結合孔１２に２色ボールペン芯３、３’をケース１内に固定するように固定キャップ７を結合するなどで実施することができる。
【００４８】
前記のようにケース１の一側にだけ２色ボールペン芯３、３’を形成する場合には、その反対側に前述した蛍光ペン５以外の他の筆記具などで実施することができる。
【００４９】
また、図８は、本発明のさらに他の実施形態である。
【００５０】
前記実施形態は、２色ボールペン芯３、３’（３０、３０’）が結合されるケース１の透明キャップ４（４’）を外部から色を確認できるように有色キャップ８で構成した例である。
【００５１】
即ち、有色キャップ８に２色ボールペン芯３、３’の各色別に彩色した彩色部８１、８１’を形成して、外部に２色ボールペン芯３、３’の色を示すことによって、彩色部８１、８１’に着色された色を通して望む色を区別して使用できるように構成した。
【００５２】
前記実施形態は、蛍光ペン５が付設された２色ボールペンの場合だけを図８に示しているが、図４〜図６のようにケース１の両側に２色ボールペン芯３、３’を形成した両側透明キャップ４、４’に同様に適用される。
【００５３】
以上の本発明はボールペンを握って筆記する過程で透明キャップ４を通して２色ボールペン芯３、３’の色を簡単に目で区別することができて、筆記途中にケース１を握った指でケース１を望む色の２色ボールペン芯３、３’の方向に回すだけで望む色が選択されて速かに使用できるため、便利で早く望む色で筆記することができる。
【００５４】
即ち、本発明は、筆記途中にも望むボールペンの色が透明キャップ４を通して自然に確認されるので、ケース１を握った手で望む色の方向に回すだけで望む色のボールペンで機敏に切り替え望む色で簡単かつ早く筆記することができる。
【００５５】
従って、本発明は、一つのボールペンに２色のボールペン芯３、３’を備えて望む色のボールペンを迅速かつっ簡単に選択して早く筆記できる非常に便利で有用な使用性を提供する。
【実施の形態】
【００５６】
本発明は、ケースの一側に色が異なる２つの２色ボールペン芯を内蔵して、ケースに内蔵された２色ボールペン芯は、外部から色をすぐ確認できるようにして、ユーザーの望む色のボールペンをすぐ選択して使用できるように２色ボールペンを構成したことに特徴がある。
【００５７】
前記２色ボールペンは、ケースの内側に２つのボールペン芯を内蔵できる組立て管を結合して、前記組立て管に２色ボールペン芯を挿入して結合する。
【００５８】
前記２色ボールペン芯を結合したケースの組立て孔に透明キャップを挟んで結合して、前記ケースに結合される透明キャップは、２色ボールペン芯の各ペン先を外部に突出するように結合されて、２色ボールペン芯が外部から透視できる状態でいつでも色を区別することができるようにする。
【００５９】
また、本発明はボールペンのケースの一側に前記のように２色ボールペン芯を内蔵して、他の一側には蛍光ペンを構成して、２色ボールペンを構成することによって、２色ボールペンと蛍光ペンを共に使用できるように構成する。
【００６０】
前記蛍光ペンが共に結合した２色ボールペンは、ケースの内側に中ケースを内蔵して、中ケースは、蛍光ペンのインクカートリッジと２色のボールペン芯を両側で結合できる組立て管を中央壁の両側で分割形成してケースの両側で２色ボールペン芯と蛍光ペンを結合する。
【００６１】
前記のように中ケースの一側組立て管に蛍光ペンのインクカートリッジを結合してケース内に結合し、中ケースの他の一側組立て管に２つボールペン芯を結合することによって、ケースの一側には２色ボールペン、他の一側には蛍光ペンを構成する。
【００６２】
また、前記２色ボールペンは、ケースの両側に２色ボールペン芯を各々結合してケース両側に各々２色ボールペンを構成することによって、一つのボールペンで４色のボールペンを使用できるように構成することができる。
【産業上の利用可能性】
【００６３】
本発明は、色が異なる２つのボールペン芯を内蔵して、ユーザーの望む色のボールペンをすぐ選択して早く筆記することができるため、普通の筆記、メモ用はもちろん速記用などの様々な用途と目的の２色ボールペン、多色ボールペン、蛍光ペンが付設されたボールペンを提供することができる。
【符号の説明】
【００６４】
１      ケース
２      中ケース
２１、２１’        組立て管
２２      中央壁
３、３’ ３０、３０’       ボールペン芯
３１、３１’       ペン先
４、４’       透明キャップ
４１、４１’       挿入孔
５      蛍光ペン
５１      インクカートリッジ
６、６’       蓋
８１、８１’       彩色部
【図１】
2015536843.tif 000003
【図２】
2015536843.tif 000004
【図３】
2015536843.tif 000005
【図４】
2015536843.tif 000006
【図５】
2015536843.tif 000007
【図６】
2015536843.tif 000008
【図７】
2015536843.tif 000009
【図８】
2015536843.tif 000010
【国際調査報告】
2015536843.tif 000011
2015536843.tif 000012
2015536843.tif 000013
2015536843.tif 000014